(57)【特許請求の範囲】
【請求項１】
放送局から発信される符号化されたデジタル／アナログ放送信号を受信する受信手段と、前記受信手段により受信したデジタル／アナログ放送信号を復号して映像を表示する表示手段に出力するデジタル／アナログ復号手段と、前記デジタル復号手段によって復号された放送信号に含まれるチャンネル情報を記憶する記憶手段と、受信機各部を制御する制御手段と、ユーザが前記制御手段に対してチャンネル選択の指示を入力するための入力手段とを備え、
前記制御手段は、前記入力手段からチャンネル選択の指示を受けたとき、選択されたチャンネルについて前記受信手段に放送信号を受信させ、この受信させた放送信号を前記デジタル復号手段によって復号させ、この復号させた放送信号に含まれるチャンネル情報を取得し、前記記憶手段に記憶させる機能を有したデジタル／アナログ放送受信機のチャンネル選択装置において、
デジタル放送とアナログ放送とは互いに異なるチャンネルにより発信され、デジタル放送は、１つのメインチャンネルに１又は複数のコンテンツを発信するためのサブチャンネルを含み、かつ、これらのサブチャンネルにアナログ放送のメインチャンネルと同じ番号を冠した仮想チャンネルが付与されており、
前記入力手段は、同一のメインチャンネル内で上／下に隣接するサブチャンネルを選択する指示を前記制御手段に与えるための上／下キーを有し、
前記制御手段は、前記上キーが操作される毎に、前記記憶手段に記憶させたチャンネル情報を参照して、現在受信中のメインチャンネル内でサブチャンネルの番号が小さくなる方向に隣接するサブチャンネルを選局するものとし、前記下キーが操作される毎に、前記記憶手段に記憶させたチャンネル情報を参照して、現在受信中のメインチャンネル内でサブチャンネルの番号が大きくなる方向に隣接するサブチャンネルを選局するものとし、
前記上キーによる指示が与えられた場合において、前記チャンネル情報に該メインチャンネル内に、サブチャンネルの番号が小さくなる方向に隣接するチャンネルがないときは、サブチャンネルの番号が大きくなる方向に隣接するサブチャンネルを選局し、前記下キーによる指示が与えられた場合において、前記チャンネル情報に該メインチャンネル内に、サブチャンネルの番号が大きくなる方向に隣接するチャンネルがないときは、サブチャンネルの番号が小さくなる方向に隣接するサブチャンネルを選局することを特徴とするデジタル／アナログ放送受信機のチャンネル選択装置。
【発明の詳細な説明】
【０００１】
【発明の属する技術分野】
本発明は、デジタル／アナログ放送受信機のチャンネル選択装置及び同装置を備えたデジタル／アナログ放送受信機に関するものである。
【０００２】
【従来の技術】
従来から、デジタル／アナログ放送受信機においては、入力手段を用いてユーザがチャンネルを選択し、数値入力されたチャンネル番号に基づいて、又は、チャンネルアップ／ダウンキーの操作に基づいて、デジタル／アナログ放送の視聴可能なチャンネルを表すデジタル／アナログチャンネルテーブルを参照しながら、選択されたチャンネルがデジタル／アナログのいずれの放送のチャンネルであるのかを判断し、該当するチャンネルの放送信号をチューナに受信させる機能を備えたデジタル／アナログ放送受信装置のチャンネル選択装置がある（例えば、特開平１１−１６４２１４号公報参照）。
【０００３】
ところで、テレビジョンの放送は、アナログ放送によるものが一般的であるが、近年においては、より高画質化・多チャンネル化が可能なＢＳ（Broadcasting Satellite）デジタル放送、ＣＳ（Communications Satellite）デジタル放送に代表されるデジタル放送が発信されるようになり、急速に普及しつつある。例えば、北米におけるデジタル放送は、ＡＴＳＣ（Advanced Television Systems Committee）によって規格化されており、アナログ放送とは互いに異なる物理チャンネルにより発信される。これらの内、従来のアナログ放送と同一又は同一系統の放送局から発信されるデジタル放送は数多くあり、この場合は、従来のアナログ放送のチャンネル番号に慣れたユーザの使い勝手を向上させるため、従来のアナログ放送のチャンネル番号と同一のチャンネル番号が割り当てられた仮想チャンネルによって、選局や表示が行えるように運営されている。
【０００４】
また、デジタル放送は、アナログ放送とは互いに異なる所定の周波数帯域の搬送波がチャンネル毎に割り当てられている。このチャンネルは、メインチャンネルと称され、１つのメインチャンネルは、１又は複数のコンテンツを発信するためのサブチャンネルを含んでいる。サブチャンネルの構成は、放送時間帯によって変動し、その一例として、メインチャンネル“４”のある時間帯（ＰＭ８：００〜ＰＭ１２：００）におけるサブチャンネルの構成を図５に示す。
【０００５】
図５によれば、ＰＭ８：００〜ＰＭ９：００では、“０”〜“４”のサブチャンネルが、ＰＭ９：００〜ＰＭ１０：００では、“０”及び“１”のサブチャンネルが、ＰＭ１０：００〜ＰＭ１１：００では、“０”〜“４”のサブチャンネルが、ＰＭ１１：００〜ＰＭ１２：００では、“０”〜“３”のサブチャンネルが放送される。ここで、サブチャンネルが“０”（物理チャンネルが“４−０”）のチャンネルはＮＴＳＣ（National Television Systems Committee）規格によるアナログ放送であり、サブチャンネルが“１”〜“４”（仮想チャンネルが“４−１”〜“４−４”）のチャンネルはデジタル放送である。また、チャンネル“４−０”から放送されるＴＶ番組は従前からのアナログ放送のテレビジョン番組であり、チャンネル“４−１”〜“４−４”から放送されるＳＤ（Standard Definition）番組はデジタル放送の標準画質番組であり、チャンネル“４−１”から放送されるＨＤ（High Definition）番組はデジタル放送の高画質番組である。
【０００６】
そして、デジタル放送では、上記のごとく変動するチャンネル構成についての情報（以下チャンネル情報と記す）は、映像等の信号と共に発信されている。従って、デジタル放送受信装置では、上記デジタル放送信号をチューナによって受信し、デジタルデコーダによってデコードし、その復号信号に含まれるＶＣＴ（Virtual Channel Table）を解析すれば、その放送のチャンネル情報を取得することができる。
【０００７】
【発明が解決しようとする課題】
従来のデジタル／アナログ放送受信機のチャンネル選択装置において、放送信号を復号処理（デコード）して解析することにより、ＰＳＩＰ（Program System Information Protocol）に基づく仮想チャンネル情報を含むＶＣＴを取得し、これを記憶したチャンネルマップを保有しておき、ユーザがチャンネルの変更・選択時に、このチャンネルマップを基に、インターフェイスとして機能するＥＰＧ（Electric Program Guide）によりチャンネル選択画面を表示させ、本体の操作部又はリモートコントロール装置のキー（例えば、アップキー／ダウンキー）を操作することで、チャンネルの変更・選択を可能とするものがある。これによれば、煩わしいチャンネル番号の入力が必要でなくなるが、同一メインチャンネル内でキー入力された方向に隣接するサブチャンネルが存在しないときには、メインチャンネルが変更される。
【０００８】
例えば、図５に示したＰＭ１１：００〜ＰＭ１２：００において、ユーザは、チャンネル“４−３”を受信中に、チャンネル“４−４”が存在するもの考えてダウンキーを入力した場合は、メインチャンネルも（隣接するメインチャンネル、例えばチャンネル“５”に）変更されることとなる。このメインチャンネルの変更は、チューナの受信周波数を変更し、隣接するメインチャンネル内のサブチャンネル情報を含むＶＣＴを取得し、この情報に基づいて、いずれかのサブチャンネルの放送信号を抽出することにより成される。これらの内、特にＶＣＴは、放送信号に混在させて所定の時間毎に発信されるため、上記ステップを経て、メインチャンネルが変更されるには相応の時間が必要となる。従って、このように、チャンネルアップ／ダウンキーによりメインチャンネルが変更される場合は、選局に要する時間が長くなり、不便である。また、ユーザには、お気に入りのメインチャンネル（放送局）があって、このメインチャンネル内でサブチャンネルのみを変更したい場合があるが、このような場合にもチャンネルアップ／ダウンキーの操作により、ユーザの意に反してメインチャンネルが変更されることがあり、操作性が良くない。
【０００９】
本発明は、上述した問題点を解決するためになされたものであり、メイン／サブチャンネルからなる階層的で、かつ、頻繁に変動するチャンネル構成を有するデジタル放送に対応し、サブチャンネルのみを変更するキーを備え、チャンネル変更に要する時間の遅延を防止しつつ、ユーザの使い勝手の向上を図ったデジタル／アナログ放送受信機のチャンネル選択装置を提供することを目的とする。
【００１０】
【課題を解決するための手段】
上記目的を達成するために、請求項１の発明は、放送局から発信される符号化されたデジタル／アナログ放送信号を受信する受信手段と、前記受信手段により受信したデジタル／アナログ放送信号を復号して映像を表示する表示手段に出力するデジタル／アナログ復号手段と、前記デジタル復号手段によって復号された放送信号に含まれるチャンネル情報を記憶する記憶手段と、受信機各部を制御する制御手段と、ユーザが前記制御手段に対してチャンネル選択の指示を入力するための入力手段とを備え、前記制御手段は、前記入力手段からチャンネル選択の指示を受けたとき、選択されたチャンネルについて前記受信手段に放送信号を受信させ、この受信させた放送信号を前記デジタル復号手段によって復号させ、この復号させた放送信号に含まれるチャンネル情報を取得し、前記記憶手段に記憶させる機能を有したデジタル／アナログ放送受信機のチャンネル選択装置において、デジタル放送とアナログ放送とは互いに異なるチャンネルにより発信され、デジタル放送は、１つのメインチャンネルに１又は複数のコンテンツを発信するためのサブチャンネルを含み、かつ、これらのサブチャンネルにアナログ放送のメインチャンネルと同じ番号を冠した仮想チャンネルが付与されており、前記入力手段は、同一のメインチャンネル内で上／下に隣接するサブチャンネルを選択する指示を前記制御手段に与えるための上／下キーを有し、前記制御手段は、前記上キーが操作される毎に、前記記憶手段に記憶させたチャンネル情報を参照して、現在受信中のメインチャンネル内でサブチャンネルの番号が小さくなる方向に隣接するサブチャンネルを選局するものとし、前記下キーが操作される毎に、前記記憶手段に記憶させたチャンネル情報を参照して、現在受信中のメインチャンネル内でサブチャンネルの番号が大きくなる方向に隣接するサブチャンネルを選局するものとし、前記上キーによる指示が与えられた場合において、前記チャンネル情報に該メインチャンネル内に、サブチャンネルの番号が小さくなる方向に隣接するチャンネルがないときは、サブチャンネルの番号が大きくなる方向に隣接するサブチャンネルを選局し、前記下キーによる指示が与えられた場合において、前記チャンネル情報に該メインチャンネル内に、サブチャンネルの番号が大きくなる方向に隣接するチャンネルがないときは、サブチャンネルの番号が小さくなる方向に隣接するサブチャンネルを選局するものである。
【００１１】
この構成においては、デジタル放送信号には１つのメインチャンネルにつき１又は複数のコンテンツを発信するサブチャンネルを含み、これらのサブチャンネルには、アナログ放送のチャンネル番号と同一の番号を含む仮想チャンネルが割り当てられているので、アナログ放送に慣れ親しんでいるユーザが違和感を覚えることなく選局することができる。そして、ユーザは入力手段に備えられた上／下キーを操作して上／下に隣接するサブチャンネルに選択する指示を与える。制御手段は、上／下キーからの指示を受け、記憶手段に記憶させたチャンネル情報に基づいて、上／下のいずれかの指示された方向にサブチャンネルを変更する。
【００１２】
同一メインチャンネル内において指示された方向にはサブチャンネルが存在しない場合であっても、メインチャンネルは変更せず、操作前のサブチャンネルから最も離れた番号のサブチャンネルに変更する。すなわち、ユーザが上キーを操作し、上方向（サブチャンネルの番号が小さくなる方向）にサブチャンネルが存在しないときは、サブチャンネルの番号が大きくなる方向に隣接するサブチャンネルを選局する。また、ユーザが下キーを操作し、下方向（サブチャンネルの番号が大きくなる方向）にサブチャンネルが存在しないときは、サブチャンネルの番号が小さくなる方向に隣接するサブチャンネルを選局する。こうして、ユーザによって、操作キーが繰返し操作された場合は、同一のメインチャンネル内を折り返し往復しながらサブチャンネルが変更され、サブチャンネルが存在しない方向に操作キーを操作してもメインチャンネルが変更されないので、チャンネル変更に要する時間を遅延させない。
【００１７】
【発明の実施の形態】
以下、本発明を具体化した一実施形態に係るデジタル／アナログ放送受信機について図面を参照して説明する。図１はデジタル／アナログ放送受信機のブロック構成を示す。受信機１は、テレビジョン放送局から発信される高周波（ＲＦ）の符号化されたデジタル／アナログ放送信号をアンテナ１０により受信し、本体ボタン又は後述の図２に示したようなリモコン３０等の入力装置１１（入力手段）を用いたユーザからのチャンネル情報表示の操作入力に応じて、放送信号に含まれる映像信号を画面表示する表示装置１２（表示手段）に受信可能なチャンネル情報を一覧表示するセットトップボックス（ＳＴＢ）である。
【００１８】
受信機１は、所望のチャンネルに対応する周波数帯域に存在するデジタル／アナログ放送信号を受信するチューナ２（受信手段）と、チューナ２により受信したデジタル／アナログ放送信号を復号するデジタルデコーダ３、アナログデコーダ４（デジタル／アナログ復号手段）と、デジタルデコーダ３又はアナログデコーダ４によって復号された放送信号を切り換えるスイッチ５と、表示装置１２に所定のオンスクリーンディスプレイ（以下、ＯＳＤと記す）表示をさせるＯＳＤ回路６（ＯＳＤ出力手段）と、デジタル放送の各メインチャンネルの発信周波数やチャンネル構成情報を記憶するメモリ７と、受信機各部を制御するＣＰＵからなる制御部８（制御手段）とを備えている。
【００１９】
チューナ２は、アンテナ１０により受信されたデジタル／アナログ放送信号の供給を受け、ユーザが入力装置１１から制御部８に入力した指令に応じて選局動作を行ない、入力したチャンネルに対応する周波数帯域に存在するデジタル／アナログ放送信号を受信して、中間周波数（ＩＦ）に変調してデジタルデコーダ３及びアナログデコーダ４に出力する。デジタルデコーダ３及びアナログデコーダ４は、チューナ２で受信した放送信号を復号する。デジタル放送でのチャンネル構成は、各メインチャンネル毎に異なる周波数帯域が与えられており、同一メインチャンネル内のサブチャンネルは同一の周波数で放送信号が発信される。ただし、アナログ放送と同一番号を冠した仮想チャンネルを有するデジタル放送であっても、物理チャンネルが異なるので、異なる周波数帯域の搬送波によって放送信号が発信される。ユーザが選択したチャンネルがデジタル放送チャンネルであれば（サブチャンネルが“０”でない場合）、デジタルデコーダ３にて復号処理がなされる。ユーザが選択したチャンネルがアナログ放送チャンネルであれば（サブチャンネルが“０”である場合）、アナログデコーダ４にて復号処理がなされる。
【００２０】
スイッチ５は、制御部８からの指令を受け、デジタルデコーダ３又はアナログデコーダ４のいずれかによって復号された放送信号をＯＳＤ回路６に出力する。ＯＳＤ回路６は、制御部８からの指令により、表示装置１２に放送信号を出力すると共に、受信可能なチャンネル情報に関する所定の一覧表示をさせるためのＯＳＤ表示信号を出力する。メモリ７は、各チャンネルの周波数帯域に関する情報や、チャンネル構成情報を記憶すると共に、受信機の工場出荷時にＯＳＤ表示に関する情報が記憶されている。
【００２１】
制御部８は、ユーザによる入力装置１１を用いた入力操作を受けて各部の制御をデータバス（Data-Bus）を通して行い、各チャンネルの周波数帯域に関する情報や受信したチャンネル情報をメモリ７に記憶させ、これらの情報をチャンネル選局時等において、必要に応じて参照する。
【００２２】
また、制御部８は、ユーザからのチャンネル変更の指示により、チューナ２にチャンネル構成情報を含んだ放送信号を受信させ、この放送信号をデジタルデコーダ３によって復号処理することにより得られたチャンネル情報としてのＶＣＴを解析してそれに含まれるステータス信号を取得する。このステータス信号には、仮想のメインチャンネル内におけるデジタル／アナログ全てのサブチャンネル情報が含まれている。従って、制御部８は、上記ＶＣＴを解析することによって、上記デジタル／アナログ放送を発信する同一又は同一系統の放送局に付与されている従前のチャンネル番号と同一の番号（メインチャンネル）とサブチャンネル番号とからなる仮想チャンネル番号を得ることができる。すなわち、同一又は同一系統の放送局から発信されるデジタル／アナログ情報を一括して取得することができる。制御部８は、取得したステータス信号をメモリ７に記憶させることで、チャンネル情報をメモリ７に記憶させる。
【００２３】
さらに、制御部８は、ステータス信号に基づいて放送信号の有無を判定して、表示装置１２に所定のＯＳＤ表示又は選局した放送の映像番組を映像出力させる。この表示装置１２は、テレビジョン受像機の表示画面を用いてもよいし、また、ＣＲＴの他、ＬＣＤ（Liquid Crystal Display）やＰＤＰ（Plasma Display Panel）等のフラットパネルディスプレイ装置であってもよい。なお、図示はしないが、受信機１は、デジタル信号をアナログ信号に変換するＤ／Ａ変換回路を備えており、上記ＯＳＤ表示及び映像表示のための信号はこのＤ／Ａ変換回路によりアナログ信号に変換された後、表示装置１２に出力される。また、上記Ｄ／Ａ変換回路は、表示装置１２に内蔵する構成としてもよい。なお、上記のフラットパネルディスプレイに表示する場合は、Ｄ／Ａ変換回路を介さずデジタル信号のまま出力する。
【００２４】
入力装置１１は、ユーザによる操作指示を制御部８に対して入力するための装置である。この入力装置１１の例としては、受信機１の前面に設けた本体ボタンや、図２に示したようなリモコン３０が挙げられる。このリモコン３０は、受信機１及びテレビジョン受像機の動作を赤外線等を用いて指示できるように構成されている。すなわち、受信機１及びテレビジョン受像機の電源をオン／オフするパワーキー３１及び３２と、受信機１のチャンネル番号を入力するテンキー３３と、チャンネルの変更に用いるチャンネルアップ及びダウンキー３４と、受信機１及びテレビジョン受像機のメニュー画面を呼び出すメニューキー３５及び３６と、所望の方向にカーソルを移動させる方向キー３７（３７ａ〜３７ｄ）と、入力を確定する入力（ＥＮＴＥＲ）キー３８と、テレビジョン受像機の音声ボリュームを調整するボリュームアップ／ダウンキー３９と、テレビジョン受像機のチャンネルの変更に用いるチャンネルアップ／ダウンキー４０とを備えている。
【００２５】
また、リモコン３０には、上記チャンネルアップ／ダウンキー３４とは別に、１つのメインチャンネル（以下メインｃｈと記す）中でサブチャンネル（以下サブｃｈと記す）を上下に変更するサブチャンネルアップ／ダウンキー（以下サブｃｈキーと記す）３４ｓが備えられている。このサブｃｈキーは、タンブラー構成とされ、一方側を押し込むとサブｃｈをアップし、他方を押し込むとサブｃｈをダウンさせることができる。以下に、図３を参照して、サブｃｈキー３４ｓを用いたサブｃｈを変更する動作を説明する。図３は、チャンネル情報テーブルの一例を示し、ユーザがリモコン３０のメニューキー３５を操作して、制御部８に指令を与えることで、メモリ７を参照して、表示装置１２にＥＰＧ（Electric Program Guide）としてＯＳＤ表示される。ここでは、アナログ放送のチャンネル（以下、ｃｈと記す）“３−０”と、仮想ｃｈが付与されたデジタル放送のｃｈ“１−２”，“２−１”…“２−４”，“３−１”，“４−１”が表示されている。ここで、ｃｈ“２−０”及び“４−０”がチャンネル情報テーブルに存在しないのは、これらの放送が停止され、メモリ７にチャンネル情報が記憶されていないからである。チャンネル情報テーブルは、上下（縦）方向に各メインｃｈにおけるアナログ放送のチャンネルとデジタル放送の仮想ｃｈ（小さい数から順に）とが上から順に並ぶ。このチャンネル情報テーブルにおいて、白黒反転表示されるｃｈ“２−１”〜“２−４”は、現在受信中のメインｃｈを示し、その中でも、さらに白黒反転表示されるｃｈ“２−２”は、現在受信中の仮想ｃｈを示している。
【００２６】
このＯＳＤ表示画面から、サブｃｈキー３４ｓのアップ側が押されると、同一メインｃｈ“２”内で、上方向に隣接するサブｃｈを検索し、ｃｈ“２−１”に変更される。さらに、サブｃｈキー３４ｓのアップ側が押されると、同メインｃｈ内には、上方向に隣接するサブｃｈは存在しないので、同メインｃｈ内で最大のサブｃｈ番号が付与されたｃｈ“２−４”に変更される。チャンネル情報テーブルの右横の矢印は、このようにサブｃｈキー３４ｓが操作される毎に、同一メインｃｈ内で、順次、切り替えられるチャンネルの選択順を示している。なお、サブｃｈキー３４ｓが押された場合も、変更するチャンネルを検索する方向が逆になるだけで同様の切り替えが成される。ｃｈ“２−４”を受信中に、サブｃｈキー３４ｓのダウン側が押されると、同メインｃｈ内には、下方向に隣接するサブｃｈは存在しないので、同メインｃｈ内で最小のサブｃｈ番号が付与されたｃｈ“２−１”に変更される。
【００２７】
次に、ユーザのリモコン３０のサブｃｈキー３４ｓの操作による、チャンネル変更の指示が入力されたときの受信機１の制御部８による動作処理について図４を参照して説明する。まず、ユーザからのサブｃｈキー３４ｓの入力を受け（＃１）、その入力がアップ側であれば（＃２においてアップ）、メモリ７に記憶したチャンネル情報を参照して（＃３）、同一メインｃｈ内に上方向に隣接するサブｃｈが存在するかを検索する（＃４）。隣接するサブｃｈが存在すれば（＃４においてＹＥＳ）、該当するサブｃｈを選択する（＃５）。隣接するサブｃｈが存在しなければ（＃４においてＮＯ）、同一メインｃｈ内で最大番号のサブｃｈを選択する（＃６）。
【００２８】
また、サブｃｈキー３４ｓの入力がダウン側キー３４ｂであれば（＃２においてダウン）、メモリ７に記憶したチャンネル情報を参照して（＃７）、同一メインｃｈ内に下方向に隣接するサブｃｈが存在するかを検索する（＃８）。隣接するサブｃｈが存在すれば（＃８においてＹＥＳ）、該当するサブｃｈを選択する（＃９）。隣接するサブｃｈが存在しなければ（＃８においてＮＯ）、同一メインｃｈ内で最小番号のサブｃｈを選択する（＃１０）。このようにして、ユーザのサブｃｈキー３４ｓの入力を受ける毎に、同一メインｃｈ内でサブｃｈを循環（回転）させながら選択することができる。
【００２９】
なお、本発明は上記実施形態の構成に限られることなく種々の変形が可能であり、例えば、上記では、サブｃｈキー３４ｓをサブｃｈのアップ／ダウン専用キーとして別個に設けた例を示したが、モードを切り替えることでチャンネルアップ／ダウンキー３４にサブｃｈキーの機能を持たせたものでもよい。
【００３０】
また、図５に示した＃６／＃１０におけるサブｃｈの選択は、最大／最小のサブｃｈに限られることなく、キー入力に対して反対方向に隣接するサブｃｈを選択することとしてもよい。この場合は、同一メインｃｈ内でサブｃｈを折返し往復させながら、選択されることとなる。さらに、このサブｃｈの選択は、デジタルの内、最小番号のサブｃｈ“１”が選択されるものとしてもよい。このサブｃｈ“１”は、ＡＴＳＣでは通常、サブｃｈ“０”のアナログ放送と同じ内容のデジタル放送が発信される運用が成されており、最も視聴要求が高いと考えられる。従って、この例では、最も視聴要求が高いサブｃｈが優先的に選択されることとなる。
【００３１】
さらに、図３に示したチャンネル情報テーブルは、リモコン３０のサブｃｈキー３４ｓを操作して、制御部８にチャンネルを変更する指令を与えたときに表示装置１２にＯＳＤ表示するものとしてもよい。さらに、この場合において、サブｃｈ変更指令を受けたときに、チャンネル情報テーブルをＯＳＤ表示することなく、受信した映像を直ちに表示装置１２に出力することとしてもよい。さらにまた、受信機１をテレビジョン受像機やビデオ記録装置の本体に内蔵した構成としてもよい。
【００３２】
【発明の効果】
以上のように請求項１の発明によれば、同一メインチャンネル内で、サブチャンネルのみを変更することができるから、メインチャンネルの変更に伴う選局動作の遅延を招くことがなく、素早く選局することができる。また、ユーザによる操作キーの操作毎に、ユーザが指示した方向にサブチャンネルを循環させながら、順次選局していくので、ユーザは直感的に操作しやすく、操作性が向上する。さらに、ユーザのお気に入りのメインチャンネルがあり、そのメインチャンネル内でサブチャンネルのみを変更したいときにも快適にチャンネル選択することができる。
【００３３】
請求項２の発明によれば、同一メインチャンネル内で、サブチャンネルのみを変更することができるから、メインチャンネルの変更に伴う選局動作の遅延を招くことがなく、素早く選局することができる。さらに、ユーザのお気に入りのメインチャンネルがあり、そのメインチャンネル内でサブチャンネルのみを変更したいときにも快適にチャンネル選択をすることができる。
【００３４】
請求項３の発明によれば、ユーザは表示手段に表示されたチャンネル情報の一覧を確認しながら、入力手段の操作キーの操作指示を与え、カーソル位置のサブチャンネルを選択することができ、使い勝手の向上を図ることができる。
【００３５】
請求項４の発明によれば、ＡＴＳＣ規格のデジタル放送、及び、ＮＴＳＣ規格のアナログ放送の受像機において、チャンネルアップ／ダウン選択が容易に行える。
【図面の簡単な説明】
【図１】  本発明の一実施形態による放送受信機のブロック構成図。
【図２】  同装置に用いられるリモコンの平面図。
【図３】  同装置によるチャンネル情報テーブルの表示画面と、チャンネルアップキーが押されたときのチャンネルの選択順を示す図。
【図４】  同装置の制御部による動作のフローチャート。
【図５】  同装置により受信されるデジタル放送のチャンネル構成を示した図。
【符号の説明】
１    放送受信機
２    チューナ（受信手段）
３    デジタルデコーダ（デジタル復号手段）
４    アナログデコーダ（アナログ復号手段）
６    ＯＳＤ回路（ＯＳＤ出力手段）
８    制御部（制御手段、データ追加手段、データ削除手段）
１１  入力装置（入力手段）
１２  表示装置（表示手段）
３４ｓ  サブｃｈキー（上／下キー）
【図１】
0004552333.tif 000002
【図２】
0004552333.tif 000003
【図３】
0004552333.tif 000004
【図４】
0004552333.tif 000005
【図５】
0004552333.tif 000006